(57)【特許請求の範囲】
【請求項１】
４個の同一抵抗値の抵抗と同一容量値の容量が交互に環状に接続されており、複数の入力端子から差動の高周波信号の正相側と逆相側を入力すると、複数の出力端子から相互に９０度の位相差を有する等振幅な４つの高周波信号を出力する第１のポリフェーズフィルタと、８個の同一抵抗値の抵抗と同一容量値の容量が交互に環状に接続されており、複数の入力端子から上記第１のポリフェーズフィルタの出力端子より出力された４つの高周波信号を入力すると、複数の出力端子から等振幅な８つの高周波信号を出力する第２のポリフェーズフィルタと、８個の同一抵抗値の抵抗と同一容量値の容量が交互に環状に接続されており、複数の入力端子から上記第２のポリフェーズフィルタの出力端子より出力された８つの高周波信号を入力すると、複数の出力端子から相互に４５度の位相差を有する８つの高周波信号を出力する第３のポリフェーズフィルタと、上記第３のポリフェーズフィルタの出力端子より出力された差動の高周波信号を増幅して差動の局部発振信号を出力する複数の差動増幅器と、上記複数の差動増幅器から出力された局部発振信号の２倍の周波数の信号と差動の高周波信号をミキシングして差動の中間周波数信号を出力する複数の偶高調波形ダウンミクサと、４個の同一抵抗値の抵抗と同一容量値の容量が交互に環状に接続されており、上記複数の偶高調波形ダウンミクサより出力された中間周波数信号を９０度合成する第４のポリフェーズフィルタとを備えたイメージリジェクションミクサ。
【請求項２】
４個の同一抵抗値の抵抗と同一容量値の容量が交互に環状に接続されており、複数の入力端子から差動の高周波信号の正相側と逆相側を入力すると、複数の出力端子から相互に９０度の位相差を有する等振幅な４つの高周波信号を出力する第１のポリフェーズフィルタと、８個の同一抵抗値の抵抗と同一容量値の容量が交互に環状に接続されており、複数の入力端子から上記第１のポリフェーズフィルタの出力端子より出力された４つの高周波信号を入力すると、複数の出力端子から等振幅な８つの高周波信号を出力する第２のポリフェーズフィルタと、８個の同一抵抗値の抵抗と同一容量値の容量が交互に環状に接続されており、複数の入力端子から上記第２のポリフェーズフィルタの出力端子より出力された８つの高周波信号を入力すると、複数の出力端子から相互に４５度の位相差を有する８つの高周波信号を出力する第３のポリフェーズフィルタと、上記第３のポリフェーズフィルタの出力端子より出力された差動の高周波信号の振幅を調整して差動の局部発振信号を出力する複数の差動可変利得増幅器と、上記複数の差動可変利得増幅器から出力された局部発振信号の２倍の周波数の信号と差動の高周波信号をミキシングして差動の中間周波数信号を出力する複数の偶高調波形ダウンミクサと、４個の同一抵抗値の抵抗と同一容量値の容量が交互に環状に接続されており、上記複数の偶高調波形ダウンミクサより出力された中間周波数信号を９０度合成する第４のポリフェーズフィルタとを備えたイメージリジェクションミクサ。
【発明の詳細な説明】
【技術分野】
【０００１】
この発明は、相互に４５度の位相差を有する８つの高周波信号を出力するポリフェーズフィルタ回路と、そのポリフェーズフィルタ回路を実装しているイメージリジェクションミクサ及び直交変調器とに関するものである。
【背景技術】
【０００２】
従来のポリフェーズフィルタ回路では、４個の抵抗と容量が交互に環状に接続されている第１のポリフェーズフィルタに対して、４個の抵抗と容量が交互に環状に接続されている第２のポリフェーズフィルタと、４個の抵抗と容量が交互に環状に接続されている第３のポリフェーズフィルタとを並列に接続するようにしている。
これにより、第１のポリフェーズフィルタの入力端子Ｖ11から差動の高周波信号の正相側を入力し、第１のポリフェーズフィルタの入力端子Ｖ12から差動の高周波信号の逆相側を入力すると、第１のポリフェーズフィルタが相互に９０度の位相差を有する等振幅な４つの高周波信号を第２及び第３のポリフェーズフィルタに出力する。
【０００３】
第２のポリフェーズフィルタは、第１のポリフェーズフィルタから相互に９０度の位相差を有する等振幅な４つの高周波信号を受けると、相互に９０度の位相差を有する４つの高周波信号を出力する。
即ち、第２のポリフェーズフィルタは、位相が２２．５度の高周波信号、位相が１１２．５度の高周波信号、位相が２０２．５度の高周波信号、位相が２９２．５度の高周波信号を出力する。
また、第３のポリフェーズフィルタは、第１のポリフェーズフィルタから相互に９０度の位相差を有する等振幅な４つの高周波信号を受けると、相互に９０度の位相差を有する４つの高周波信号を出力する。
即ち、第３のポリフェーズフィルタは、位相が６７．５度の高周波信号、位相が１５７．５度の高周波信号、位相が２４７．５度の高周波信号、位相が３３７．５度の高周波信号を出力する。
【０００４】
これにより、ポリフェーズフィルタ回路から８つの高周波信号が出力されるが、８つの高周波信号が相互に４５度の位相差を有し、かつ、等振幅な信号であるためには、予め、第１から第３のポリフェーズフィルタを構成している抵抗Ｒ1〜Ｒ3の抵抗値と容量Ｃ1〜Ｃ3の容量値を適切に調整しておく必要がある（例えば、特許文献１参照）。
【０００５】
【特許文献１】米国特許第６３８８５４３号公報（図７、図８）
【発明の開示】
【発明が解決しようとする課題】
【０００６】
従来のポリフェーズフィルタ回路は以上のように構成されているので、予め、第１から第３のポリフェーズフィルタを構成している抵抗Ｒ1〜Ｒ3の抵抗値と容量Ｃ1〜Ｃ3の容量値を適切に調整しておけば、相互に４５度の位相差を有する等振幅な８つの高周波信号を得ることができる。しかし、抵抗値と容量値の調整が不十分であると、８つの高周波信号の位相差が４５度からずれて、振幅も等振幅ではなくなるなどの課題があった。
【０００７】
この発明は上記のような課題を解決するためになされたもので、ポリフェーズフィルタを構成している抵抗の抵抗値や容量の容量値を特に調整することなく、相互に４５度の位相差を有する８つの高周波信号を得ることができるポリフェーズフィルタ回路を得ることを目的とする。
【０００８】
また、この発明は、相互に４５度の位相差を有する８つの高周波信号を得ることができるポリフェーズフィルタ回路を搭載して、所望の中間周波数信号を生成することができるイメージリジェクションミクサを得ることを目的とする。
また、この発明は、相互に４５度の位相差を有する８つの高周波信号を得ることができるポリフェーズフィルタ回路を搭載して、所望の高周波信号を生成することができる直交変調器を得ることを目的とする。
【課題を解決するための手段】
【０００９】
この発明に係るポリフェーズフィルタ回路は、８個の同一抵抗値の抵抗と同一容量値の容量が交互に環状に接続されており、複数の入力端子から第２のポリフェーズフィルタの出力端子より出力された８つの高周波信号を入力すると、複数の出力端子から相互に４５度の位相差を有する８つの高周波信号を出力する第３のポリフェーズフィルタを設けるようにしたものである。
【発明の効果】
【００１０】
この発明によれば、８個の同一抵抗値の抵抗と同一容量値の容量が交互に環状に接続されており、複数の入力端子から第２のポリフェーズフィルタの出力端子より出力された８つの高周波信号を入力すると、複数の出力端子から相互に４５度の位相差を有する８つの高周波信号を出力する第３のポリフェーズフィルタを設けるように構成したので、ポリフェーズフィルタを構成している抵抗の抵抗値や容量の容量値を特に調整することなく、相互に４５度の位相差を有する８つの高周波信号を得ることができる効果がある。
【発明を実施するための最良の形態】
【００１１】
実施の形態１．
図１はこの発明の実施の形態１によるポリフェーズフィルタ回路を示す構成図であり、図において、ポリフェーズフィルタ１は４個の同一抵抗値の抵抗と同一容量値の容量が交互に環状に接続されており、複数の入力端子から差動の高周波信号の正相側と逆相側を入力すると、複数の出力端子から相互に９０度の位相差を有する等振幅な４つの高周波信号を出力する。なお、ポリフェーズフィルタ１は第１のポリフェーズフィルタを構成している。
【００１２】
ポリフェーズフィルタ１の入力端子１０１，１０２は差動の高周波信号の正相側を入力し、入力端子１０３，１０４は差動の高周波信号の逆相側を入力する。
あるいは、ポリフェーズフィルタ１の入力端子１０１が差動の高周波信号の正相側を入力して、入力端子１０３が差動の高周波信号の逆相側を入力し、入力端子１０２，１０４が高周波信号を入力しない開放端にしてもよい。
ポリフェーズフィルタ１の抵抗１１１は一端が入力端子１０１に接続され、他端が出力端子１３４に接続されている。
ポリフェーズフィルタ１の抵抗１１２は一端が入力端子１０２に接続され、他端が出力端子１３１に接続されている。
ポリフェーズフィルタ１の抵抗１１３は一端が入力端子１０３に接続され、他端が出力端子１３２に接続されている。
ポリフェーズフィルタ１の抵抗１１４は一端が入力端子１０４に接続され、他端が出力端子１３３に接続されている。
【００１３】
ポリフェーズフィルタ１の容量１２１は一端が入力端子１０１に接続され、他端が出力端子１３１に接続されている。
ポリフェーズフィルタ１の容量１２２は一端が入力端子１０２に接続され、他端が出力端子１３２に接続されている。
ポリフェーズフィルタ１の容量１２３は一端が入力端子１０３に接続され、他端が出力端子１３３に接続されている。
ポリフェーズフィルタ１の容量１２４は一端が入力端子１０４に接続され、他端が出力端子１３４に接続されている。
なお、抵抗１１１〜１１４の抵抗値は同一であり、容量１２１〜１２４の容量値は同一である。
【００１４】
ポリフェーズフィルタ１の出力端子１３１は入力端子１０１，１０２から入力される高周波信号の電圧がＶｉであり、入力端子１０３，１０４から入力される高周波信号の電圧が−Ｖｉである場合、電圧Ｖｉの高周波信号を出力する。
ポリフェーズフィルタ１の出力端子１３２は入力端子１０１，１０２から入力される高周波信号の電圧がＶｉであり、入力端子１０３，１０４から入力される高周波信号の電圧が−Ｖｉである場合、電圧ｊＶｉの高周波信号を出力する。
ポリフェーズフィルタ１の出力端子１３３は入力端子１０１，１０２から入力される高周波信号の電圧がＶｉであり、入力端子１０３，１０４から入力される高周波信号の電圧が−Ｖｉである場合、電圧−Ｖｉの高周波信号を出力する。
ポリフェーズフィルタ１の出力端子１３４は入力端子１０１，１０２から入力される高周波信号の電圧がＶｉであり、入力端子１０３，１０４から入力される高周波信号の電圧が−Ｖｉである場合、電圧−ｊＶｉの高周波信号を出力する。
【００１５】
ポリフェーズフィルタ２は８個の同一抵抗値の抵抗と同一容量値の容量が交互に環状に接続されており、複数の入力端子からポリフェーズフィルタ１の出力端子より出力された４つの高周波信号を入力すると、複数の出力端子から等振幅な８つの高周波信号を出力する。なお、ポリフェーズフィルタ２は第２のポリフェーズフィルタを構成している。
ポリフェーズフィルタ２の入力端子２０１はポリフェーズフィルタ１の出力端子１３１と接続され、ポリフェーズフィルタ１の出力端子１３１より出力される電圧Ｖｉの高周波信号を入力する。
ポリフェーズフィルタ２の入力端子２０２は開放端であり、高周波信号を入力しない。
ポリフェーズフィルタ２の入力端子２０３はポリフェーズフィルタ１の出力端子１３２と接続され、ポリフェーズフィルタ１の出力端子１３２より出力される電圧ｊＶｉの高周波信号を入力する。
ポリフェーズフィルタ２の入力端子２０４は開放端であり、高周波信号を入力しない。
【００１６】
ポリフェーズフィルタ２の入力端子２０５はポリフェーズフィルタ１の出力端子１３３と接続され、ポリフェーズフィルタ１の出力端子１３３より出力される電圧−Ｖｉの高周波信号を入力する。
ポリフェーズフィルタ２の入力端子２０６は開放端であり、高周波信号を入力しない。
ポリフェーズフィルタ２の入力端子２０７はポリフェーズフィルタ１の出力端子１３４と接続され、ポリフェーズフィルタ１の出力端子１３４より出力される電圧−ｊＶｉの高周波信号を入力する。
ポリフェーズフィルタ２の入力端子２０８は開放端であり、高周波信号を入力しない。
【００１７】
ポリフェーズフィルタ２の抵抗２１１は一端が入力端子２０１に接続され、他端が出力端子２３８に接続されている。
ポリフェーズフィルタ２の抵抗２１２は一端が入力端子２０２に接続され、他端が出力端子２３１に接続されている。
ポリフェーズフィルタ２の抵抗２１３は一端が入力端子２０３に接続され、他端が出力端子２３２に接続されている。
ポリフェーズフィルタ２の抵抗２１４は一端が入力端子２０４に接続され、他端が出力端子２３３に接続されている。
【００１８】
ポリフェーズフィルタ２の抵抗２１５は一端が入力端子２０５に接続され、他端が出力端子２３４に接続されている。
ポリフェーズフィルタ２の抵抗２１６は一端が入力端子２０６に接続され、他端が出力端子２３５に接続されている。
ポリフェーズフィルタ２の抵抗２１７は一端が入力端子２０７に接続され、他端が出力端子２３６に接続されている。
ポリフェーズフィルタ２の抵抗２１８は一端が入力端子２０８に接続され、他端が出力端子２３７に接続されている。
【００１９】
ポリフェーズフィルタ２の容量２２１は一端が入力端子２０１に接続され、他端が出力端子２３１に接続されている。
ポリフェーズフィルタ２の容量２２２は一端が入力端子２０２に接続され、他端が出力端子２３２に接続されている。
ポリフェーズフィルタ２の容量２２３は一端が入力端子２０３に接続され、他端が出力端子２３３に接続されている。
ポリフェーズフィルタ２の容量２２４は一端が入力端子２０４に接続され、他端が出力端子２３４に接続されている。
【００２０】
ポリフェーズフィルタ２の容量２２５は一端が入力端子２０５に接続され、他端が出力端子２３５に接続されている。
ポリフェーズフィルタ２の容量２２６は一端が入力端子２０６に接続され、他端が出力端子２３６に接続されている。
ポリフェーズフィルタ２の容量２２７は一端が入力端子２０７に接続され、他端が出力端子２３７に接続されている。
ポリフェーズフィルタ２の容量２２８は一端が入力端子２０８に接続され、他端が出力端子２３８に接続されている。
なお、抵抗２１１〜２１８の抵抗値は同一であり、容量２２１〜２２８の容量値は同一である。
【００２１】
ポリフェーズフィルタ２の出力端子２３１は位相が（２＋ｊ）／２の高周波信号を出力する。
ポリフェーズフィルタ２の出力端子２３２は位相が（１＋２ｊ）／２の高周波信号を出力する。
ポリフェーズフィルタ２の出力端子２３３は位相が（−１＋２ｊ）／２の高周波信号を出力する。
ポリフェーズフィルタ２の出力端子２３４は位相が（−２＋ｊ）／２の高周波信号を出力する。
ポリフェーズフィルタ２の出力端子２３５は位相が（−２−ｊ）／２の高周波信号を出力する。
ポリフェーズフィルタ２の出力端子２３６は位相が（−１−２ｊ）／２の高周波信号を出力する。
ポリフェーズフィルタ２の出力端子２３７は位相が（１−２ｊ）／２の高周波信号を出力する。
ポリフェーズフィルタ２の出力端子２３８は位相が（２−ｊ）／２の高周波信号を出力する。
【００２２】
ポリフェーズフィルタ３は８個の同一抵抗値の抵抗と同一容量値の容量が交互に環状に接続されており、複数の入力端子からポリフェーズフィルタ２の出力端子より出力された８つの高周波信号を入力すると、複数の出力端子から相互に４５度の位相差を有する約等振幅な８つの高周波信号を出力する。なお、ポリフェーズフィルタ３は第３のポリフェーズフィルタを構成している。
ポリフェーズフィルタ３の入力端子３０１はポリフェーズフィルタ２の出力端子２３１と接続され、ポリフェーズフィルタ２の出力端子２３１より出力される電圧が（２＋ｊ）／２の高周波信号を入力する。
ポリフェーズフィルタ３の入力端子３０２はポリフェーズフィルタ２の出力端子２３２と接続され、ポリフェーズフィルタ２の出力端子２３２より出力される電圧が（１＋２ｊ）／２の高周波信号を入力する。
ポリフェーズフィルタ３の入力端子３０３はポリフェーズフィルタ２の出力端子２３３と接続され、ポリフェーズフィルタ２の出力端子２３３より出力される電圧が（−１＋２ｊ）／２の高周波信号を入力する。
ポリフェーズフィルタ３の入力端子３０４はポリフェーズフィルタ２の出力端子２３４と接続され、ポリフェーズフィルタ２の出力端子２３４より出力される電圧が（−２＋ｊ）／２の高周波信号を入力する。
【００２３】
ポリフェーズフィルタ３の入力端子３０５はポリフェーズフィルタ２の出力端子２３５と接続され、ポリフェーズフィルタ２の出力端子２３５より出力される電圧が（−２−ｊ）／２の高周波信号を入力する。
ポリフェーズフィルタ３の入力端子３０６はポリフェーズフィルタ２の出力端子２３６と接続され、ポリフェーズフィルタ２の出力端子２３６より出力される電圧が（−１−２ｊ）／２の高周波信号を入力する。
ポリフェーズフィルタ３の入力端子３０７はポリフェーズフィルタ２の出力端子２３７と接続され、ポリフェーズフィルタ２の出力端子２３７より出力される電圧が（１−２ｊ）／２の高周波信号を入力する。
ポリフェーズフィルタ３の入力端子３０８はポリフェーズフィルタ２の出力端子２３８と接続され、ポリフェーズフィルタ２の出力端子２３８より出力される電圧が（２−ｊ）／２の高周波信号を入力する。
【００２４】
ポリフェーズフィルタ３の抵抗３１１は一端が入力端子３０１に接続され、他端が出力端子３３８に接続されている。
ポリフェーズフィルタ３の抵抗３１２は一端が入力端子３０２に接続され、他端が出力端子３３１に接続されている。
ポリフェーズフィルタ３の抵抗３１３は一端が入力端子３０３に接続され、他端が出力端子３３２に接続されている。
ポリフェーズフィルタ３の抵抗３１４は一端が入力端子３０４に接続され、他端が出力端子３３３に接続されている。
【００２５】
ポリフェーズフィルタ３の抵抗３１５は一端が入力端子３０５に接続され、他端が出力端子３３４に接続されている。
ポリフェーズフィルタ３の抵抗３１６は一端が入力端子３０６に接続され、他端が出力端子３３５に接続されている。
ポリフェーズフィルタ３の抵抗３１７は一端が入力端子３０７に接続され、他端が出力端子３３６に接続されている。
ポリフェーズフィルタ３の抵抗３１８は一端が入力端子３０８に接続され、他端が出力端子３３７に接続されている。
【００２６】
ポリフェーズフィルタ３の容量３２１は一端が入力端子３０１に接続され、他端が出力端子３３１に接続されている。
ポリフェーズフィルタ３の容量３２２は一端が入力端子３０２に接続され、他端が出力端子３３２に接続されている。
ポリフェーズフィルタ３の容量３２３は一端が入力端子３０３に接続され、他端が出力端子３３３に接続されている。
ポリフェーズフィルタ３の容量３２４は一端が入力端子３０４に接続され、他端が出力端子３３４に接続されている。
【００２７】
ポリフェーズフィルタ３の容量３２５は一端が入力端子３０５に接続され、他端が出力端子３３５に接続されている。
ポリフェーズフィルタ３の容量３２６は一端が入力端子３０６に接続され、他端が出力端子３３６に接続されている。
ポリフェーズフィルタ３の容量３２７は一端が入力端子３０７に接続され、他端が出力端子３３７に接続されている。
ポリフェーズフィルタ３の容量３２８は一端が入力端子３０８に接続され、他端が出力端子３３８に接続されている。
なお、抵抗３１１〜３１８の抵抗値は同一であり、容量３２１〜３２８の容量値は同一である。
【００２８】
ポリフェーズフィルタ３の出力端子３３１は位相が４５度で振幅が√２の高周波信号を出力する。
ポリフェーズフィルタ３の出力端子３３２は位相が９０度で振幅が１．５の高周波信号を出力する。
ポリフェーズフィルタ３の出力端子３３３は位相が１３５度で振幅が√２の高周波信号を出力する。
ポリフェーズフィルタ３の出力端子３３４は位相が１８０度で振幅が１．５の高周波信号を出力する。
ポリフェーズフィルタ３の出力端子３３５は位相が２２５度で振幅が√２の高周波信号を出力する。
ポリフェーズフィルタ３の出力端子３３６は位相が２７０度で振幅が１．５の高周波信号を出力する。
ポリフェーズフィルタ３の出力端子３３７は位相が３１５度で振幅が√２の高周波信号を出力する。
ポリフェーズフィルタ３の出力端子３３８は位相が０度で振幅が１．５の高周波信号を出力する。
なお、ポリフェーズフィルタ３の出力端子３３１〜３３８から出力される高周波信号の振幅は等振幅である。
【００２９】
次に動作について説明する。
ポリフェーズフィルタ１の入力端子１０１〜１０４から入力される高周波信号の電圧をＶｉ１，Ｖｉ２，Ｖｉ３，Ｖｉ４、ポリフェーズフィルタ１の出力端子１３１〜１３４から出力される高周波信号の電圧をＶｏ１，Ｖｏ２，Ｖｏ３，Ｖｏ４とすると、第ｎ（ｎ＝１〜４）番目の出力端子に現れる高周波信号の電圧Ｖｏｎは、次のように表される。
Ｖｏｎ＝（ｊωＲＣ／（１＋ｊωＲＣ））・Ｖｉｎ
＋（１／（１＋ｊωＲＣ））・Ｖｉ（ｎ＋１）            （１）
ただし、Ｒは抵抗１１１〜１１４の抵抗値、Ｃは容量１２１〜１２４の容量値、ωは角周波数である。なお、ｎ＝４の場合、Ｖｉ（ｎ＋１）＝Ｖｉ１とする。
【００３０】
この実施の形態１では、ポリフェーズフィルタ１の入力端子１０１，１０２から差動の高周波信号の正相側が入力され、入力端子１０３，１０４から差動の高周波信号の逆相側が入力される場合を想定する。
即ち、ポリフェーズフィルタ１の入力端子１０１，１０２から入力される高周波信号の電圧がＶｉであり、入力端子１０３，１０４から入力される高周波信号の電圧が−Ｖｉである場合を想定する。
【００３１】
この場合、ポリフェーズフィルタ１を構成している抵抗１１１〜１１４の抵抗値Ｒと容量１２１〜１２４の容量値Ｃがω＝１／ＲＣとなる中心周波数において、出力端子１３１〜１３４から相互に９０度の位相差を有する等振幅な４つの高周波信号が出力される。
即ち、ポリフェーズフィルタ１の出力端子１３１から電圧Ｖｉの高周波信号が出力され、出力端子１３２から電圧ｊＶｉの高周波信号が出力される。
また、ポリフェーズフィルタ１の出力端子１３３から電圧−Ｖｉの高周波信号が出力され、出力端子１３４から電圧−ｊＶｉの高周波信号が出力される。
【００３２】
ここでは、ポリフェーズフィルタ１の入力端子１０１，１０２から入力される高周波信号の電圧がＶｉであり、入力端子１０３，１０４から入力される高周波信号の電圧が−Ｖｉである場合を想定したが、ポリフェーズフィルタ１の入力端子１０１から入力される高周波信号の電圧がＶｉ、入力端子１０３から入力される高周波信号の電圧が−Ｖｉであり、ポリフェーズフィルタ１の入力端子１０２，１０４を開放端にして高周波信号を入力しない場合も、ポリフェーズフィルタ１の出力端子１３１〜１３４から出力される高周波信号の電圧が（１＋ｊ）Ｖｉ／２，（−１＋ｊ）Ｖｉ／２，（−１−ｊ）Ｖｉ／２，（１−ｊ）Ｖｉ／２となり、相互に９０度の位相差を有する等振幅な４つの高周波信号が得られる。
【００３３】
ポリフェーズフィルタ１の出力端子１３１〜１３４から出力される高周波信号は、ポリフェーズフィルタ２の入力端子２０１，２０３，２０５，２０７から入力される。
ポリフェーズフィルタ２の入力端子２０１，２０３，２０５，２０７から入力される高周波信号の電圧をＶｉ１，Ｖｉ３，Ｖｉ５，Ｖｉ７、ポリフェーズフィルタ２の出力端子２３１〜２３８から出力される高周波信号の電圧をＶｏ１，Ｖｏ２，Ｖｏ３，Ｖｏ４，Ｖｏ５，Ｖｏ６，Ｖｏ７，Ｖｏ８とすると、Ｖｏ１，Ｖｏ２，Ｖｏ３，Ｖｏ４，Ｖｏ５，Ｖｏ６，Ｖｏ７，Ｖｏ８は、次のように表される。
Ｖｏ１＝（（１＋２ｊωＲＣ）／２（１＋ｊωＲＣ））・Ｖｉ１
＋（１／２（１＋ｊωＲＣ））・Ｖｉ３                  （２）
Ｖｏ２＝（ｊωＲＣ／２（１＋ｊωＲＣ））・Ｖｉ１
＋（（２＋ｊωＲＣ）／２（１＋ｊωＲＣ））・Ｖｉ３    （３）
Ｖｏ３＝（（１＋２ｊωＲＣ）／２（１＋ｊωＲＣ））・Ｖｉ３
＋（１／２（１＋ｊωＲＣ））・Ｖｉ５                  （４）
Ｖｏ４＝（ｊωＲＣ／２（１＋ｊωＲＣ））・Ｖｉ３
＋（（２＋ｊωＲＣ）／２（１＋ｊωＲＣ））・Ｖｉ５    （５）
Ｖｏ５＝（（１＋２ｊωＲＣ）／２（１＋ｊωＲＣ））・Ｖｉ５
＋（１／２（１＋ｊωＲＣ））・Ｖｉ７                  （６）
Ｖｏ６＝（ｊωＲＣ／２（１＋ｊωＲＣ））・Ｖｉ５
＋（（２＋ｊωＲＣ）／２（１＋ｊωＲＣ））・Ｖｉ７    （７）
Ｖｏ７＝（（１＋２ｊωＲＣ）／２（１＋ｊωＲＣ））・Ｖｉ７
＋（１／２（１＋ｊωＲＣ））・Ｖｉ１                  （８）
Ｖｏ８＝（ｊωＲＣ／２（１＋ｊωＲＣ））・Ｖｉ７
＋（（２＋ｊωＲＣ）／２（１＋ｊωＲＣ））・Ｖｉ１    （９）
ただし、Ｒは抵抗２１１〜２１８の抵抗値、Ｃは容量２２１〜２２８の容量値、ωは角周波数である。
ポリフェーズフィルタ２を構成している抵抗２１１〜２１８の抵抗値は、ポリフェーズフィルタ１を構成している抵抗１１１〜１１４の抵抗値と同一値でも異なる値でもよい。
また、ポリフェーズフィルタ２を構成している容量２２１〜２２８の容量値は、ポリフェーズフィルタ１を構成している容量１２１〜１２４の容量値と同一値でも異なる値でもよい。
【００３４】
この場合、ポリフェーズフィルタ２を構成している抵抗２１１〜２１８の抵抗値Ｒと容量２２１〜２２８の容量値Ｃがω＝１／ＲＣとなる中心周波数において、出力端子２３１〜２３８から等振幅な８つの高周波信号が出力される。ただし、８つの高周波信号の位相差は４５度ではない。
即ち、ポリフェーズフィルタ２の出力端子２３１から電圧が（２＋ｊ）／２の高周波信号が出力され、出力端子２３２から電圧が（１＋２ｊ）／２の高周波信号が出力され、出力端子２３３から電圧が（−１＋２ｊ）／２の高周波信号が出力され、出力端子２３４から電圧が（−２＋ｊ）／２の高周波信号が出力される。
また、ポリフェーズフィルタ２の出力端子２３５から電圧が（−２−ｊ）／２の高周波信号が出力され、出力端子２３６から電圧が（−１−２ｊ）／２の高周波信号が出力され、出力端子２３７から電圧が（１−２ｊ）／２の高周波信号が出力され、出力端子２３８から電圧が（２−ｊ）／２の高周波信号が出力される。
【００３５】
ポリフェーズフィルタ２の出力端子２３１〜２３８から出力される高周波信号は、ポリフェーズフィルタ３の入力端子３０１〜３０８から入力される。
ポリフェーズフィルタ３は、入力端子３０１〜３０８からポリフェーズフィルタ２の出力端子２３１〜２３８より出力された８つの高周波信号を入力すると、出力端子３３１〜３３８から相互に４５度の位相差を有する約等振幅な８つの高周波信号を出力する。
つまり、ポリフェーズフィルタ３の出力端子３３１から位相が（１＋ｊ）＝４５度で振幅が√２の高周波信号が出力され、出力端子３３２から位相が３ｊ／２＝９０度で振幅が１．５の高周波信号が出力され、出力端子３３３から位相が（−１＋ｊ）＝１３５度で振幅が√２の高周波信号が出力され、出力端子３３４から位相が−３／２＝１８０度で振幅が１．５の高周波信号が出力される。
また、ポリフェーズフィルタ２の出力端子３３５から位相が（−１−ｊ）＝２２５度で振幅が√２の高周波信号が出力され、出力端子３３６から位相が−３ｊ／２＝２７０度で振幅が１．５の高周波信号が出力され、出力端子３３７から位相が（１−ｊ）＝３１５度で振幅が√２の高周波信号が出力され、出力端子３３８から位相が３／２＝０度で振幅が１．５の高周波信号が出力される。
【００３６】
以上で明らかなように、この実施の形態１によれば、８個の同一抵抗値の抵抗と同一容量値の容量が交互に環状に接続されており、入力端子３０１〜３０８からポリフェーズフィルタ２の出力端子２３１〜２３８より出力された８つの高周波信号を入力すると、出力端子３３１〜３３８から相互に４５度の位相差を有する約等振幅な８つの高周波信号を出力するポリフェーズフィルタ３を設けるように構成したので、ポリフェーズフィルタ１，２を構成している抵抗１１１〜１１４，２１１〜２１８の抵抗値や容量１２１〜１２４，２２１〜２２８の容量値を特に調整することなく、相互に４５度の位相差を有する約等振幅な８つの高周波信号を得ることができる効果を奏する。
【００３７】
実施の形態２．
図２はこの発明の実施の形態２によるポリフェーズフィルタ回路を示す構成図であり、図において、図１と同一符号は同一または相当部分を示すので説明を省略する。
ポリフェーズフィルタ４はポリフェーズフィルタ３と直列に接続され、８個の同一抵抗値の抵抗と同一容量値の容量が交互に環状に接続されており、ポリフェーズフィルタ４は複数の入力端子からポリフェーズフィルタ３の出力端子より出力された８つの高周波信号を入力すると、複数の出力端子から相互に４５度の位相差を有する略等振幅な８つの高周波信号を出力する。なお、ポリフェーズフィルタ３及びポリフェーズフィルタ４から第３のポリフェーズフィルタが構成されている。
【００３８】
ポリフェーズフィルタ４の入力端子４０１はポリフェーズフィルタ３の出力端子３３１と接続され、ポリフェーズフィルタ３の出力端子３３１より出力される電圧が（３＋ｊ）／２の高周波信号を入力する。
ポリフェーズフィルタ４の入力端子４０２はポリフェーズフィルタ３の出力端子３３２と接続され、ポリフェーズフィルタ３の出力端子３３２より出力される電圧が（１＋３ｊ）／２の高周波信号を入力する。
ポリフェーズフィルタ４の入力端子４０３はポリフェーズフィルタ３の出力端子３３３と接続され、ポリフェーズフィルタ３の出力端子３３３より出力される電圧が（−１＋３ｊ）／２の高周波信号を入力する。
ポリフェーズフィルタ４の入力端子４０４はポリフェーズフィルタ３の出力端子３３４と接続され、ポリフェーズフィルタ３の出力端子３３４より出力される電圧が（−３＋ｊ）／２の高周波信号を入力する。
【００３９】
ポリフェーズフィルタ４の入力端子４０５はポリフェーズフィルタ３の出力端子３３５と接続され、ポリフェーズフィルタ３の出力端子３３５より出力される電圧が（−３−ｊ）／２の高周波信号を入力する。
ポリフェーズフィルタ４の入力端子４０６はポリフェーズフィルタ３の出力端子３３６と接続され、ポリフェーズフィルタ３の出力端子３３６より出力される電圧が（−１−３ｊ）／２の高周波信号を入力する。
ポリフェーズフィルタ４の入力端子４０７はポリフェーズフィルタ３の出力端子３３７と接続され、ポリフェーズフィルタ３の出力端子３３７より出力される電圧が（１−３ｊ）／２の高周波信号を入力する。
ポリフェーズフィルタ４の入力端子４０８はポリフェーズフィルタ３の出力端子３３８と接続され、ポリフェーズフィルタ３の出力端子３３８より出力される電圧が（３−ｊ）／２の高周波信号を入力する。
【００４０】
ポリフェーズフィルタ４の抵抗４１１は一端が入力端子４０１に接続され、他端が出力端子４３８に接続されている。
ポリフェーズフィルタ４の抵抗４１２は一端が入力端子４０２に接続され、他端が出力端子４３１に接続されている。
ポリフェーズフィルタ４の抵抗４１３は一端が入力端子４０３に接続され、他端が出力端子４３２に接続されている。
ポリフェーズフィルタ４の抵抗４１４は一端が入力端子４０４に接続され、他端が出力端子４３３に接続されている。
【００４１】
ポリフェーズフィルタ４の抵抗４１５は一端が入力端子４０５に接続され、他端が出力端子４３４に接続されている。
ポリフェーズフィルタ４の抵抗４１６は一端が入力端子４０６に接続され、他端が出力端子４３５に接続されている。
ポリフェーズフィルタ４の抵抗４１７は一端が入力端子４０７に接続され、他端が出力端子４３６に接続されている。
ポリフェーズフィルタ４の抵抗４１８は一端が入力端子４０８に接続され、他端が出力端子４３７に接続されている。
【００４２】
ポリフェーズフィルタ４の容量４２１は一端が入力端子４０１に接続され、他端が出力端子４３１に接続されている。
ポリフェーズフィルタ４の容量４２２は一端が入力端子４０２に接続され、他端が出力端子４３２に接続されている。
ポリフェーズフィルタ４の容量４２３は一端が入力端子４０３に接続され、他端が出力端子４３３に接続されている。
ポリフェーズフィルタ４の容量４２４は一端が入力端子４０４に接続され、他端が出力端子４３４に接続されている。
【００４３】
ポリフェーズフィルタ４の容量４２５は一端が入力端子４０５に接続され、他端が出力端子４３５に接続されている。
ポリフェーズフィルタ４の容量４２６は一端が入力端子４０６に接続され、他端が出力端子４３６に接続されている。
ポリフェーズフィルタ４の容量４２７は一端が入力端子４０７に接続され、他端が出力端子４３７に接続されている。
ポリフェーズフィルタ４の容量４２８は一端が入力端子４０８に接続され、他端が出力端子４３８に接続されている。
なお、抵抗４１１〜４１８の抵抗値は同一であり、容量４２１〜４２８の容量値は同一である。
【００４４】
ポリフェーズフィルタ４の出力端子４３１は位相が４５度で振幅が３√２／２の高周波信号を出力する。
ポリフェーズフィルタ４の出力端子４３２は位相が９０度で振幅が２の高周波信号を出力する。
ポリフェーズフィルタ４の出力端子４３３は位相が１３５度で振幅が３√２／２の高周波信号を出力する。
ポリフェーズフィルタ４の出力端子４３４は位相が１８０度で振幅が２の高周波信号を出力する。
ポリフェーズフィルタ４の出力端子４３５は位相が２２５度で振幅が３√２／２の高周波信号を出力する。
ポリフェーズフィルタ４の出力端子４３６は位相が２７０度で振幅が２の高周波信号を出力する。
ポリフェーズフィルタ４の出力端子４３７は位相が３１５度で振幅が３√２／２の高周波信号を出力する。
ポリフェーズフィルタ４の出力端子４３８は位相が０度で振幅が２の高周波信号を出力する。
なお、ポリフェーズフィルタ４の出力端子４３１〜４３８から出力される高周波信号の振幅は等振幅である。
【００４５】
ポリフェーズフィルタ１の入力端子１０１，１０２は差動の高周波信号の正相側を入力し、入力端子１０３，１０４は差動の高周波信号の逆相側を入力する。
あるいは、ポリフェーズフィルタ１の入力端子１０１が差動の高周波信号の正相側を入力して、入力端子１０３が差動の高周波信号の逆相側を入力し、入力端子１０２，１０４が高周波信号を入力しない開放端にしてもよい。
ポリフェーズフィルタ１，２，３，４の第ｎ（ｎ＝１〜４）番目の出力端子に現れる高周波信号の電圧Ｖｏｎは、上記の式（１）で表される。
【００４６】
上記実施の形態１では、ポリフェーズフィルタ２の入力端子２０２，２０４，２０６，２０８が開放端であり、また、第３のポリフェーズフィルタとして、ポリフェーズフィルタ２と直列にポリフェーズフィルタ３が接続されているものについて示したが、この実施の形態２では、ポリフェーズフィルタ２の入力端子２０２，２０４，２０６，２０８は開放端ではなく、ポリフェーズフィルタ１の出力端子１３１，１３２，１３３，１３４に接続され、また、第３のポリフェーズフィルタとして、ポリフェーズフィルタ２と直列にポリフェーズフィルタ３とポリフェーズフィルタ４が縦続接続されている点で相違している。
ポリフェーズフィルタ２の入力端子２０２，２０４，２０６，２０８は開放端ではなく、ポリフェーズフィルタ１の出力端子１３１，１３２，１３３，１３４に接続した場合、第４のポリフェーズフィルタを縦続接続することで、相互に４５度の位相差を有する約等振幅な８つの高周波信号を得ることができる。
なお、この実施の形態２では、ポリフェーズフィルタ３に対してポリフェーズフィルタ４を１段だけ縦続接続するようにしているが、ポリフェーズフィルタ３に対してポリフェーズフィルタ４を複数段縦続接続するようにしてもよい。
【００４７】
実施の形態３．
図３はこの発明の実施の形態３によるポリフェーズフィルタ回路を示す構成図であり、図において、図１と同一符号は同一または相当部分を示すので説明を省略する。
差動可変利得増幅器５０１は正相側入力端子５０１ａがポリフェーズフィルタ３の出力端子３３１と接続され、逆相側入力端子５０１ｂがポリフェーズフィルタ３の出力端子３３５と接続されており、差動可変利得増幅器５０１はポリフェーズフィルタ３の出力端子３３１，３３５から出力される差動の高周波信号（位相が４５度の高周波信号と位相が２２５度の高周波信号）の振幅を調整して、正相側出力端子５０１ｃから振幅調整後の位相が４５度の高周波信号を出力し、逆相側出力端子５０１ｄから振幅調整後の位相が２２５度の高周波信号を出力する。
差動可変利得増幅器５０２は正相側入力端子５０２ａがポリフェーズフィルタ３の出力端子３３２と接続され、逆相側入力端子５０２ｂがポリフェーズフィルタ３の出力端子３３６と接続されており、差動可変利得増幅器５０２はポリフェーズフィルタ３の出力端子３３２，３３６から出力される差動の高周波信号（位相が９０度の高周波信号と位相が２７０度の高周波信号）の振幅を調整して、正相側出力端子５０２ｃから振幅調整後の位相が９０度の高周波信号を出力し、逆相側出力端子５０２ｄから振幅調整後の位相が２７０度の高周波信号を出力する。
【００４８】
差動可変利得増幅器５０３は正相側入力端子５０３ａがポリフェーズフィルタ３の出力端子３３３と接続され、逆相側入力端子５０３ｂがポリフェーズフィルタ３の出力端子３３７と接続されており、差動可変利得増幅器５０３はポリフェーズフィルタ３の出力端子３３３，３３７から出力される差動の高周波信号（位相が１３５度の高周波信号と位相が３１５度の高周波信号）の振幅を調整して、正相側出力端子５０３ｃから振幅調整後の位相が１３５度の高周波信号を出力し、逆相側出力端子５０３ｄから振幅調整後の位相が３１５度の高周波信号を出力する。
差動可変利得増幅器５０４は正相側入力端子５０４ａがポリフェーズフィルタ３の出力端子３３４と接続され、逆相側入力端子５０４ｂがポリフェーズフィルタ３の出力端子３３８と接続されており、差動可変利得増幅器５０４はポリフェーズフィルタ３の出力端子３３４，３３８から出力される差動の高周波信号（位相が１８０度の高周波信号と位相が０度の高周波信号）の振幅を調整して、正相側出力端子５０４ｃから振幅調整後の位相が１８０度の高周波信号を出力し、逆相側出力端子５０４ｄから振幅調整後の位相が０度の高周波信号を出力する。
【００４９】
次に動作について説明する。
差動可変利得増幅器５０１〜５０４は、位相が０度、４５度、９０度、１３５度、１８０度、２２５度、２７０度、３１５度の高周波信号の振幅が等振幅になるように、各々の高周波信号の振幅を調整する。
即ち、差動可変利得増幅器５０１は、正相側入力端子５０１ａがポリフェーズフィルタ３の出力端子３３１から出力される位相が４５度の高周波信号を入力し、逆相側入力端子５０１ｂがフェーズフィルタ３の出力端子３３５から出力される位相が２２５度の高周波信号を入力すると、位相が４５度の高周波信号の振幅と位相が２２５度の高周波信号の振幅が他の差動可変利得増幅器５０２等から出力される高周波信号の振幅と一致するように、位相が４５度の高周波信号の振幅と位相が２２５度の高周波信号の振幅を調整する。そして、正相側出力端子５０１ｃから振幅調整後の位相が４５度の高周波信号を出力し、逆相側出力端子５０１ｄから振幅調整後の位相が２２５度の高周波信号を出力する。
【００５０】
差動可変利得増幅器５０２は、正相側入力端子５０２ａがポリフェーズフィルタ３の出力端子３３２から出力される位相が９０度の高周波信号を入力し、逆相側入力端子５０２ｂがフェーズフィルタ３の出力端子３３６から出力される位相が２７０度の高周波信号を入力すると、位相が９０度の高周波信号の振幅と位相が２７０度の高周波信号の振幅が他の差動可変利得増幅器５０１等から出力される高周波信号の振幅と一致するように、位相が９０度の高周波信号の振幅と位相が２７０度の高周波信号の振幅を調整する。そして、正相側出力端子５０２ｃから振幅調整後の位相が９０度の高周波信号を出力し、逆相側出力端子５０２ｄから振幅調整後の位相が２７０度の高周波信号を出力する。
【００５１】
差動可変利得増幅器５０３は、正相側入力端子５０３ａがポリフェーズフィルタ３の出力端子３３３から出力される位相が１３５度の高周波信号を入力し、逆相側入力端子５０３ｂがフェーズフィルタ３の出力端子３３７から出力される位相が３１５度の高周波信号を入力すると、位相が１３５度の高周波信号の振幅と位相が３１５度の高周波信号の振幅が他の差動可変利得増幅器５０１等から出力される高周波信号の振幅と一致するように、位相が１３５度の高周波信号の振幅と位相が３１５度の高周波信号の振幅を調整する。そして、正相側出力端子５０３ｃから振幅調整後の位相が１３５度の高周波信号を出力し、逆相側出力端子５０３ｄから振幅調整後の位相が３１５度の高周波信号を出力する。
【００５２】
差動可変利得増幅器５０４は、正相側入力端子５０４ａがポリフェーズフィルタ３の出力端子３３４から出力される位相が１８０度の高周波信号を入力し、逆相側入力端子５０４ｂがフェーズフィルタ３の出力端子３３８から出力される位相が０度の高周波信号を入力すると、位相が１８０度の高周波信号の振幅と位相が０度の高周波信号の振幅が他の差動可変利得増幅器５０１等から出力される高周波信号の振幅と一致するように、位相が１８０度の高周波信号の振幅と位相が０度の高周波信号の振幅を調整する。そして、正相側出力端子５０４ｃから振幅調整後の位相が１８０度の高周波信号を出力し、逆相側出力端子５０４ｄから振幅調整後の位相が０度の高周波信号を出力する。
【００５３】
以上で明らかなように、この実施の形態３によれば、差動可変利得増幅器５０１〜５０４がポリフェーズフィルタ３の出力端子３３１〜３３８より出力された８つの高周波信号の振幅を調整するように構成したので、等振幅な８つの高周波信号を得ることができる効果を奏する。図３の例では、実施の形態１によるポリフェーズフィルタを用いているが、実施の形態２によるポリフェーズフィルタを用いても良い。
【００５４】
実施の形態４．
図４はこの発明の実施の形態４によるイメージリジェクションミクサを示す構成図であり、図において、図１と同一符号は同一または相当部分を示すので説明を省略する。
差動増幅器６０１は差動入力端子６０１ａがポリフェーズフィルタ３の出力端子３３２と接続され、差動入力端子６０１ｂがポリフェーズフィルタ３の出力端子３３６と接続されており、差動増幅器６０１はポリフェーズフィルタ３の出力端子３３２，３３６から出力された差動の高周波信号（位相が９０度の高周波信号と位相が２７０度の高周波信号）を増幅して、差動出力端子６０１ｃから局部発振信号（増幅後の位相が９０度の高周波信号）を出力し、差動出力端子６０１ｄから局部発振信号（増幅後の位相が２７０度の高周波信号）を出力する。
【００５５】
差動増幅器６０２は差動入力端子６０２ａがポリフェーズフィルタ３の出力端子３３３と接続され、差動入力端子６０２ｂがポリフェーズフィルタ３の出力端子３３７と接続されており、差動増幅器６０２はポリフェーズフィルタ３の出力端子３３３，３３７から出力された差動の高周波信号（位相が１３５度の高周波信号と位相が３１５度の高周波信号）を増幅して、差動出力端子６０２ｃから局部発振信号（増幅後の位相が１３５度の高周波信号）を出力し、差動出力端子６０２ｄから局部発振信号（増幅後の位相が３１５度の高周波信号）を出力する。
【００５６】
整合回路７０１は一端がポリフェーズフィルタ３の出力端子３３１と接続され、他端がポリフェーズフィルタ３の出力端子３３５と接続されており、また、整合回路７０２は一端がポリフェーズフィルタ３の出力端子３３４と接続され、他端がポリフェーズフィルタ３の出力端子３３８と接続されている。
整合回路７０１，７０２は差動増幅器６０１，６０２と同等のインピーダンスを実現して、ポリフェーズフィルタ３の出力端子３３１〜３３８の出力インピーダンスを揃えている。
図４の例では、整合回路７０１，７０２を用いているが、差動増幅器６０１，６０２と同一の差動増幅器を用いるようにしてもよい。
【００５７】
偶高調波形ダウンミクサ８０１は差動ＲＦ信号入力端子８０１ａ，８０１ｂが差動入力端子１３ａ，１３ｂから入力された差動の高周波信号を入力し、差動ＬＯ信号入力端子８０１ｃ，８０１ｄが差動増幅器６０１により増幅された差動の局部発振信号を入力すると、その差動の高周波信号と局部発振信号の２倍の周波数の信号をミキシングして、その差動の高周波信号をダウンコンバートすることにより差動の中間周波数信号を生成し、差動ＩＦ信号出力端子８０１ｅ，８０１ｆから差動の中間周波数信号を出力する。
偶高調波形ダウンミクサ８０２は差動ＲＦ信号入力端子８０２ａ，８０２ｂが差動入力端子１３ａ，１３ｂから入力された差動の高周波信号を入力し、差動ＬＯ信号入力端子８０２ｃ，８０２ｄが差動増幅器６０２により増幅された差動の局部発振信号を入力すると、その差動の高周波信号と局部発振信号の２倍の周波数の信号をミキシングして、その差動の高周波信号をダウンコンバートすることにより差動の中間周波数信号を生成し、差動ＩＦ信号出力端子８０２ｅ，８０２ｆから差動の中間周波数信号を出力する。
【００５８】
ポリフェーズフィルタ９は４個の同一抵抗値の抵抗と同一容量値の容量が交互に環状に接続されており、入力端子９０１，９０３が偶高調波形ダウンミクサ８０１の差動ＩＦ信号出力端子８０１ｅ，８０１ｆから出力された差動の中間周波数信号を、また、入力端子９０２，９０４が偶高調波形ダウンミクサ８０２の差動ＩＦ信号出力端子８０２ｅ，８０２ｆから出力された差動の中間周波数信号を入力すると、９０度位相の異なる差動の中間周波数信号を９０度合成して、合成後の差動の中間周波数信号を差動出力端子１５ａ、１５ｂに出力する。なお、ポリフェーズフィルタ９は第４のポリフェーズフィルタを構成している。
【００５９】
ポリフェーズフィルタ９の入力端子９０１は偶高調波形ダウンミクサ８０１の差動ＩＦ信号出力端子８０１ｅと接続され、偶高調波形ダウンミクサ８０１の差動ＩＦ信号出力端子８０１ｅより出力される中間周波数信号を入力する。
ポリフェーズフィルタ９の入力端子９０２は偶高調波形ダウンミクサ８０２の差動ＩＦ信号出力端子８０２ｅと接続され、偶高調波形ダウンミクサ８０２の差動ＩＦ信号出力端子８０２ｅより出力される中間周波数信号を入力する。
ポリフェーズフィルタ９の入力端子９０３は偶高調波形ダウンミクサ８０１の差動ＩＦ信号出力端子８０１ｆと接続され、偶高調波形ダウンミクサ８０１の差動ＩＦ信号出力端子８０１ｆより出力される中間周波数信号を入力する。
ポリフェーズフィルタ９の入力端子９０４は偶高調波形ダウンミクサ８０２の差動ＩＦ信号出力端子８０２ｆと接続され、偶高調波形ダウンミクサ８０２の差動ＩＦ信号出力端子８０２ｆより出力される中間周波数信号を入力する。
【００６０】
ポリフェーズフィルタ９の抵抗９１１は一端が入力端子９０１に接続され、他端が出力端子９３４に接続されている。
ポリフェーズフィルタ９の抵抗９１２は一端が入力端子９０２に接続され、他端が出力端子９３１に接続されている。
ポリフェーズフィルタ９の抵抗９１３は一端が入力端子９０３に接続され、他端が出力端子９３２に接続されている。
ポリフェーズフィルタ９の抵抗９１４は一端が入力端子９０４に接続され、他端が出力端子９３３に接続されている。
【００６１】
ポリフェーズフィルタ９の容量９２１は一端が入力端子９０１に接続され、他端が出力端子９３１に接続されている。
ポリフェーズフィルタ９の容量９２２は一端が入力端子９０２に接続され、他端が出力端子９３２に接続されている。
ポリフェーズフィルタ９の容量９２３は一端が入力端子９０３に接続され、他端が出力端子９３３に接続されている。
ポリフェーズフィルタ９の容量９２４は一端が入力端子９０４に接続され、他端が出力端子９３４に接続されている。
なお、抵抗９１１〜９１４の抵抗値は同一であり、容量９２１〜９２４の容量値は同一である。
【００６２】
ポリフェーズフィルタ９の出力端子９３１は抵抗９１２と容量９２１の間に接続され、ポリフェーズフィルタ９の出力端子９３２は抵抗９１３と容量９２２の間に接続されている。
ポリフェーズフィルタ９の出力端子９３３は抵抗９１４と容量９２３の間に接続され、ポリフェーズフィルタ９の出力端子９３４は抵抗９１１と容量９２４の間に接続されている。
差動出力端子１５ａはポリフェーズフィルタ９の出力端子９３１と出力端子９３２の間に接続され、ポリフェーズフィルタ９により９０度合成された中間周波数信号を出力する。
差動出力端子１５ｂはポリフェーズフィルタ９の出力端子９３３と出力端子９３４の間に接続され、ポリフェーズフィルタ９により９０度合成された差動の中間周波数信号を出力する。
【００６３】
次に動作について説明する。
差動増幅器６０１は、上記実施の形態１と同様にして、ポリフェーズフィルタ３の出力端子３３２，３３６から差動の高周波信号（位相が９０度の高周波信号と位相が２７０度の高周波信号）を受けると、差動の高周波信号を増幅して、差動出力端子６０１ｃから局部発振信号（増幅後の位相が９０度の高周波信号）を出力し、差動出力端子６０１ｄから局部発振信号（増幅後の位相が２７０度の高周波信号）を出力する。
また、差動増幅器６０２は、上記実施の形態１と同様にして、ポリフェーズフィルタ３の出力端子３３３，３３７から差動の高周波信号（位相が１３５度の高周波信号と位相が３１５度の高周波信号）を受けると、差動の高周波信号を増幅して、差動出力端子６０２ｃから局部発振信号（増幅後の位相が１３５度の高周波信号）を出力し、差動出力端子６０２ｄから局部発振信号（増幅後の位相が３１５度の高周波信号）を出力する。
【００６４】
偶高調波形ダウンミクサ８０１は、差動ＲＦ信号入力端子８０１ａ，８０１ｂが差動入力端子１３ａ，１３ｂから入力された差動の高周波信号を入力し、差動ＬＯ信号入力端子８０１ｃ，８０１ｄが差動増幅器６０１により増幅された差動の局部発振信号を入力すると、その差動の高周波信号と局部発振信号の２倍の周波数の信号をミキシングして、その差動の高周波信号をダウンコンバートすることにより差動の中間周波数信号を生成する。
これにより、偶高調波形ダウンミクサ８０１の差動ＩＦ信号出力端子８０１ｅ，８０１ｆから差動の中間周波数信号がポリフェーズフィルタ９に出力される。
【００６５】
また、偶高調波形ダウンミクサ８０２は、差動ＲＦ信号入力端子８０２ａ，８０２ｂが差動入力端子１３ａ，１３ｂから入力された差動の高周波信号を入力し、差動ＬＯ信号入力端子８０２ｃ，８０２ｄが差動増幅器６０２により増幅された差動の局部発振信号を入力すると、その差動の高周波信号と局部発振信号の２倍の周波数の信号をミキシングして、その差動の高周波信号をダウンコンバートすることにより差動の中間周波数信号を生成する。
これにより、偶高調波形ダウンミクサ８０２の差動ＩＦ信号出力端子８０２ｅ，８０２ｆから差動の中間周波数信号がポリフェーズフィルタ９に出力される。
【００６６】
ポリフェーズフィルタ９は、入力端子９０１，９０３が偶高調波形ダウンミクサ８０１の差動ＩＦ信号出力端子８０１ｅ，８０１ｆから出力された差動の中間周波数信号を、また、入力端子９０２，９０４が偶高調波形ダウンミクサ８０２の差動ＩＦ信号出力端子８０２ｅ，８０２ｆから出力された差動の中間周波数信号を入力すると、９０度位相の異なる差動の中間周波数信号を９０度合成して、合成後の差動の中間周波数信号を差動出力端子１５ａ、１５ｂに出力する。
これにより、差動出力端子１５ａ，１５ｂからポリフェーズフィルタ９により９０度合成された中間周波数信号が出力される。
なお、差動の高周波信号が９０度合成されることにより、イメージ信号が抑圧されて、所望の高周波信号が出力されることになる。
【００６７】
以上で明らかなように、この実施の形態４によれば、ポリフェーズフィルタ３の出力端子より出力された差動の高周波信号を増幅して差動の局部発振信号を出力する差動増幅器６０１，６０２と、差動増幅器６０１，６０２から出力された局部発振信号の２倍の周波数の信号と差動の高周波信号をミキシングして差動の中間周波数信号を出力する偶高調波形ダウンミクサ８０１，８０２とを設け、ポリフェーズフィルタ９が偶高調波形ダウンミクサ８０１，８０２より出力された中間周波数信号を９０度合成するように構成したので、偶高調波形ダウンミクサ８０１，８０２が差動の中間周波数信号を生成するに際して、周波数が低い局部発振信号を使用することができるようになり、消費電力の低減化を図ることができる効果を奏する。
【００６８】
なお、この実施の形態４では、差動増幅器６０１の差動入力端子６０１ａがポリフェーズフィルタ３の出力端子３３２と接続され、差動入力端子６０１ｂがポリフェーズフィルタ３の出力端子３３６と接続されており、また、差動増幅器６０２の差動入力端子６０２ａがポリフェーズフィルタ３の出力端子３３３と接続され、差動入力端子６０２ｂがポリフェーズフィルタ３の出力端子３３７と接続されているものについて示したが、相互に隣合う４５度の位相差を有する他の出力端子を差動増幅器６０１（６０２）の差動入力端子６０１ａ，６０１ｂ（６０２ａ，６０２ｂ）に接続するようにしてもよい。
【００６９】
また、この実施の形態４では、ポリフェーズフィルタ９が１段構成であるものついて示したが、ポリフェーズフィルタ９を複数段接続するようにしてもよい。
また、この実施の形態４では、上記実施の形態１におけるポリフェーズフィルタ回路を搭載しているものについて示したが、上記実施の形態２〜３におけるポリフェーズフィルタ回路を搭載するようにしてもよい。
【００７０】
この実施の形態４では、イメージリジェクションミクサを実現しているが、図４のイメージリジェクションミクサからポリフェーズフィルタ９を除去し、偶高調波形ダウンミクサ８０１，８０２より出力された中間周波数信号を取り出すことで、直交復調器を実現するようにしてもよい。
【００７１】
実施の形態５．
図５はこの発明の実施の形態５によるイメージリジェクションミクサを示す構成図であり、図において、図３及び図４と同一符号は同一または相当部分を示すので説明を省略する。
上記実施の形態４では、ポリフェーズフィルタ３の出力端子３３１〜３３２に差動増幅器６０１，６０２と整合回路７０１，７０２が接続されているものについて示したが、上記実施の形態３と同様に、ポリフェーズフィルタ３の出力端子３３１〜３３２に差動可変利得増幅器５０１〜５０４が接続されるようにしてもよく、上記実施の形態４と同様の効果を奏することができる。
この場合、差動可変利得増幅器５０２，５０３が図４の差動増幅器６０１，６０２の役割を担い、差動可変利得増幅器５０１，５０４が図４の整合回路７０１，７０２の役割を担うことになる。
【００７２】
なお、この実施の形態５では、差動可変利得増幅器５０２の正相側入力端子５０２ａがポリフェーズフィルタ３の出力端子３３２と接続され、逆相側入力端子５０２ｂがポリフェーズフィルタ３の出力端子３３６と接続されており、また、差動可変利得増幅器５０３の正相側入力端子５０３ａがポリフェーズフィルタ３の出力端子３３３と接続され、逆相側入力端子５０３ｂがポリフェーズフィルタ３の出力端子３３７と接続されているものについて示したが、相互に隣合う４５度の位相差を有する他の出力端子を差動可変利得増幅器５０２（５０３）の正相側入力端子５０２ａ（５０３ａ），逆相側入力端子５０２ｂ（５０３ｂ）に接続するようにしてもよい。
【００７３】
実施の形態６．
図６はこの発明の実施の形態６による直交変調器を示す構成図であり、図において、図４と同一符号は同一または相当部分を示すので説明を省略する。
偶高調波形アップミクサ８０３は差動ＬＯ信号入力端子８０３ｃ，８０３ｄが差動増幅器６０１により増幅された差動の局部発振信号を入力し、差動ＢＢ信号入力端子８０３ｅ，８０３ｆが差動のベースバンド信号を入力すると、その差動の局部発振信号の２倍の周波数の信号とベースバンド信号をミキシングして、その差動のベースバンド信号をアップコンバートすることにより差動の高周波信号を生成し、差動ＲＦ信号出力端子８０３ａ，８０３ｂから差動の高周波信号を出力する。
偶高調波形アップミクサ８０４は差動ＬＯ信号入力端子８０４ｃ，８０４ｄが差動増幅器６０２により増幅された差動の局部発振信号を入力し、差動ＢＢ信号入力端子８０４ｅ，８０４ｆが差動のベースバンド信号を入力すると、その差動の局部発振信号の２倍の周波数の信号とベースバンド信号をミキシングして、その差動のベースバンド信号をアップコンバートすることにより差動の高周波信号を生成し、差動ＲＦ信号出力端子８０４ａ，８０４ｂから差動の高周波信号を出力する。
【００７４】
差動出力端子１６ａは偶高調波形アップミクサ８０３の差動ＲＦ信号出力端子８０３ａと偶高調波形アップミクサ８０４の差動ＲＦ信号出力端子８０４ａとの間に接続され、高周波信号を出力する。
差動出力端子１６ｂは偶高調波形アップミクサ８０３の差動ＲＦ信号出力端子８０３ｂと偶高調波形アップミクサ８０４の差動ＲＦ信号出力端子８０４ｂとの間に接続され、高周波信号を出力する。
【００７５】
次に動作について説明する。
偶高調波形アップミクサ８０３は、差動ＬＯ信号入力端子８０３ｃ，８０３ｄが差動増幅器６０１により増幅された差動の局部発振信号を入力し、差動ＢＢ信号入力端子８０３ｅ，８０３ｆが差動のベースバンド信号を入力すると、その差動の局部発振信号の２倍の周波数の信号とベースバンド信号をミキシングして、その差動のベースバンド信号をアップコンバートすることにより差動の高周波信号を生成する。
これにより、偶高調波形アップミクサ８０３の差動ＲＦ信号出力端子８０３ａ，８０３ｂから差動の高周波信号が出力される。
【００７６】
また、偶高調波形アップミクサ８０４は、差動ＬＯ信号入力端子８０４ｃ，８０４ｄが差動増幅器６０２により増幅された差動の局部発振信号を入力し、差動ＢＢ信号入力端子８０４ｅ，８０４ｆが差動のベースバンド信号を入力すると、その差動の局部発振信号の２倍の周波数の信号とベースバンド信号をミキシングして、その差動のベースバンド信号をアップコンバートすることにより差動の高周波信号を生成する。
これにより、偶高調波形アップミクサ８０４の差動ＲＦ信号出力端子８０４ａ，８０４ｂから差動の高周波信号が出力される。
【００７７】
偶高調波形アップミクサ８０３の差動ＲＦ信号出力端子８０３ａから出力された高周波信号と、偶高調波形アップミクサ８０４の差動ＲＦ信号出力端子８０４ａから出力された高周波信号とが同相合成されて、同相合成後の高周波信号が差動出力端子１６ａから出力される。
偶高調波形アップミクサ８０３の差動ＲＦ信号出力端子８０３ｂから出力された高周波信号と、偶高調波形アップミクサ８０４の差動ＲＦ信号出力端子８０４ｂから出力された高周波信号とが同相合成されて、同相合成後の高周波信号が差動出力端子１６ｂから出力される。
なお、差動の高周波信号が同相合成されることにより、イメージ信号が抑圧されて、所望の高周波信号が出力されることになる。
【００７８】
以上で明らかなように、この実施の形態６によれば、ポリフェーズフィルタ３の出力端子より出力された差動の高周波信号を増幅して差動の局部発振信号を出力する差動増幅器６０１，６０２を設け、偶高調波形アップミクサ８０３，８０４が差動増幅器６０１，６０２から出力された局部発振信号の２倍の周波数の信号と差動のベースバンド信号をミキシングして差動の高周波信号を出力するように構成したので、イメージ信号が抑圧されている所望の高周波信号を得ることができる効果を奏する。
【００７９】
なお、この実施の形態６では、差動増幅器６０１の差動入力端子６０１ａがポリフェーズフィルタ３の出力端子３３２と接続され、差動入力端子６０１ｂがポリフェーズフィルタ３の出力端子３３６と接続されており、また、差動増幅器６０２の差動入力端子６０２ａがポリフェーズフィルタ３の出力端子３３３と接続され、差動入力端子６０２ｂがポリフェーズフィルタ３の出力端子３３７と接続されているものについて示したが、相互に隣合う４５度の位相差を有する他の出力端子を差動増幅器６０１（６０２）の差動入力端子６０１ａ，６０１ｂ（６０２ａ，６０２ｂ）に接続するようにしてもよい。
【００８０】
また、この実施の形態６では、上記実施の形態１におけるポリフェーズフィルタ回路を搭載しているものについて示したが、上記実施の形態２〜３におけるポリフェーズフィルタ回路を搭載するようにしてもよい。
【００８１】
実施の形態７．
図７はこの発明の実施の形態７による直交変調器を示す構成図であり、図において、図５及び図６と同一符号は同一または相当部分を示すので説明を省略する。
上記実施の形態６では、ポリフェーズフィルタ３の出力端子３３１〜３３２に差動増幅器６０１，６０２と整合回路７０１，７０２が接続されているものについて示したが、上記実施の形態３と同様に、ポリフェーズフィルタ３の出力端子３３１〜３３２に差動可変利得増幅器５０１〜５０４が接続されるようにしてもよく、上記実施の形態６と同様の効果を奏することができる。
この場合、差動可変利得増幅器５０２，５０３が図６の差動増幅器６０１，６０２の役割を担い、差動可変利得増幅器５０１，５０４が図６の整合回路７０１，７０２の役割を担うことになる。
【００８２】
なお、この実施の形態７では、差動可変利得増幅器５０２の正相側入力端子５０２ａがポリフェーズフィルタ３の出力端子３３２と接続され、逆相側入力端子５０２ｂがポリフェーズフィルタ３の出力端子３３６と接続されており、また、差動可変利得増幅器５０３の正相側入力端子５０３ａがポリフェーズフィルタ３の出力端子３３３と接続され、逆相側入力端子５０３ｂがポリフェーズフィルタ３の出力端子３３７と接続されているものについて示したが、相互に隣合う４５度の位相差を有する他の出力端子を差動可変利得増幅器５０２（５０３）の正相側入力端子５０２ａ（５０３ａ），逆相側入力端子５０２ｂ（５０３ｂ）に接続するようにしてもよい。
【図面の簡単な説明】
【００８３】
【図１】この発明の実施の形態１によるポリフェーズフィルタ回路を示す構成図である。
【図２】この発明の実施の形態２によるポリフェーズフィルタ回路を示す構成図である。
【図３】この発明の実施の形態３によるポリフェーズフィルタ回路を示す構成図である。
【図４】この発明の実施の形態４によるポリフェーズフィルタ回路を示す構成図である。
【図５】この発明の実施の形態５によるポリフェーズフィルタ回路を示す構成図である。
【図６】この発明の実施の形態６による直交変調器を示す構成図である。
【図７】この発明の実施の形態７による直交変調器を示す構成図である。
【符号の説明】
【００８４】
１  ポリフェーズフィルタ（第１のポリフェーズフィルタ）、２  ポリフェーズフィルタ（第２のポリフェーズフィルタ）、３  ポリフェーズフィルタ（第３のポリフェーズフィルタ）、４  ポリフェーズフィルタ（第３のポリフェーズフィルタ）、９  ポリフェーズフィルタ（第４のポリフェーズフィルタ）、１３ａ，１３ｂ  差動入力端子、１４ａ，１４ｂ  差動入力端子、１５ａ，１５ｂ  差動出力端子、１６ａ，１６ｂ  差動出力端子、１０１〜１０４  ポリフェーズフィルタ１の入力端子、１１１〜１１４  ポリフェーズフィルタ１の抵抗、１２１〜１２４  ポリフェーズフィルタ１の容量、１３１〜１３４  ポリフェーズフィルタ１の出力端子、２０１〜２０８  ポリフェーズフィルタ２の入力端子、２１１〜２１８  ポリフェーズフィルタ２の抵抗、２２１〜２２８  ポリフェーズフィルタ２の容量、２３１〜２３８  ポリフェーズフィルタ２の出力端子、３０１〜３０８  ポリフェーズフィルタ３の入力端子、３１１〜３１８  ポリフェーズフィルタ３の抵抗、３２１〜３２８  ポリフェーズフィルタ３の容量、３３１〜３３８  ポリフェーズフィルタ３の出力端子、４０１〜４０８  ポリフェーズフィルタ４の入力端子、４１１〜４１８  ポリフェーズフィルタ４の抵抗、４２１〜４２８  ポリフェーズフィルタ４の容量、４３１〜４３８  ポリフェーズフィルタ４の出力端子、５０１〜５０４  差動可変利得増幅器、５０１ａ〜５０４ａ  正相側入力端子、５０１ｂ〜５０４ｂ  逆相側入力端子、５０１ｃ〜５０４ｃ  正相側出力端子、５０１ｄ〜５０４ｄ  逆相側出力端子、６０１，６０２  差動増幅器、６０１ａ，６０１ｂ，６０２ａ，６０２ｂ  差動入力端子、７０１，７０２  整合回路、８０１，８０２  偶高調波形ダウンミクサ、８０１ａ，８０１ｂ，８０２ａ，８０２ｂ  差動ＲＦ信号入力端子、８０１ｃ，８０１ｄ，８０１ｃ，８０１ｄ  差動ＬＯ信号入力端子、８０１ｅ，８０１ｆ，８０２ｅ，８０２ｆ  差動ＩＦ信号出力端子、８０３，８０４  偶高調波形アップミクサ、８０３ａ，８０３ｂ，８０４ａ，８０４ｂ  差動ＲＦ信号出力端子、８０３ｃ，８０３ｄ，８０４ｃ，８０４ｄ  差動ＬＯ信号入力端子、８０３ｅ，８０３ｆ，８０４ｅ，８０４ｆ  差動ＢＢ信号入力端子、９０１〜９０４  ポリフェーズフィルタ９の入力端子、９１１〜９１４  ポリフェーズフィルタ９の抵抗、９２１〜９２４  ポリフェーズフィルタ９の容量、９３１〜９３４  ポリフェーズフィルタ９の出力端子。
【図１】
0004818809.tif 000002
【図２】
0004818809.tif 000003
【図３】
0004818809.tif 000004
【図４】
0004818809.tif 000005
【図５】
0004818809.tif 000006
【図６】
0004818809.tif 000007
【図７】
0004818809.tif 000008